(57)【要約】【課題】加減速時に高圧段タービンが過回転を起こすことを防止し得る二段過給システムにおける高圧段タービンの過回転防止方法を提供する。【解決手段】エンジン１からの排気を高圧段タービン３を迂回させて低圧段タービン７に導くバイパス流路１２と、該バイパス流路１２の途中に装備されて流路を開閉するバイパスバルブ１３とを備え、高圧段タービン３のタービン回転数を回転センサ１４により常時監視し、車両の加速又は減速が確認された時に、高圧段タービン３の現在のタービン回転数と前回エンジンサイクルでのタービン回転数とに基づき次回エンジンサイクルでのタービン回転数を推定し、その推定値が加速時と減速時の夫々について個別に規定されている規定値を下まわっていなかった時にバイパスバルブ１３を開けてバイパス流路１２を開通する。【選択図】図１
2011052584.tif 000002
【特許請求の範囲】
【請求項１】
車両搭載のエンジンから送出される排気によって高圧段タービンを作動させ且つ高圧段コンプレッサで圧縮した吸気をエンジンへ送給する高圧段ターボチャージャと、該高圧段ターボチャージャの高圧段タービンから送出される排気によって低圧段タービンを作動させ且つ低圧段コンプレッサで圧縮した吸気を前記高圧段コンプレッサへ送給する低圧段ターボチャージャとを備えた二段過給システムにおける高圧段タービンの過回転防止方法であって、エンジンからの排気を高圧段タービンを迂回させて低圧段タービンに導くバイパス流路と、該バイパス流路の途中に装備されて流路を開閉するバイパスバルブとを備え、高圧段タービンのタービン回転数を回転センサにより常時監視し、車両の加速又は減速が確認された時に、高圧段タービンの現在のタービン回転数と前回エンジンサイクルでのタービン回転数とに基づき次回エンジンサイクルでのタービン回転数を推定し、その推定値が加速時と減速時の夫々について個別に規定されている規定値を下まわっていなかった時にバイパスバルブを開けてバイパス流路を開通することを特徴とする二段過給システムにおける高圧段タービンの過回転防止方法。
【請求項２】
次回エンジンサイクルでのタービン回転数を推定するにあたり、現在のタービン回転数に対し、前回エンジンサイクルから現在までのタービン回転数の時間変化量を、次回エンジンサイクルまでの回転数増減分として合算すると共に、バイパスバルブの応答遅れに相当するタービン回転数の時間変化量を更に合算して推定値を算出することを特徴とする請求項１に記載の二段過給システムにおける高圧段タービンの過回転防止方法。
【発明の詳細な説明】
【技術分野】
【０００１】
本発明は、高圧段ターボチャージャと低圧段ターボチャージャとからなる二段過給システムにおける高圧段タービンの過回転防止方法に関するものである。
【背景技術】
【０００２】
図３は従来における二段過給システムを模式的に示したもので、車両搭載のエンジン１から送出される排気２により高圧段タービン３を作動させ且つ高圧段コンプレッサ４で圧縮した吸気５をエンジン１へ送給する高圧段ターボチャージャ６と、該高圧段ターボチャージャ６の高圧段タービン３から送出される排気２により低圧段タービン７を作動させ且つ低圧段コンプレッサ８で圧縮した吸気５を前記高圧段コンプレッサ４へ送給する低圧段ターボチャージャ９とが備えられている。
【０００３】
また、エンジン排気流路の高圧段タービン３よりも上流側からエンジン吸気流路の高圧段コンプレッサ４よりも下流側へ至るＥＧＲ配管１０が設けられ、該ＥＧＲ配管１０には、エンジン吸気流路へ還流すべき排気２の流量を調整するＥＧＲバルブ１１が設けられている（より詳細には還流される排気２を水冷するＥＧＲクーラも装備されている）。
【０００４】
而して、斯かる二段過給システムにおいては、エンジン１が稼動状態である時に、エンジン１から送出される排気２が、高圧段タービン３へ流入して高圧段コンプレッサ４を駆動した後、低圧段タービン７へ流入して低圧段コンプレッサ８を駆動し、該低圧段コンプレッサ８に流入して圧縮された吸気５は、高圧段コンプレッサ４に送給され、該高圧段コンプレッサ４で再び圧縮されてエンジン１へ送給されるので、シリンダへの吸気５の送給量が増加し、１サイクル当たりの燃料噴射量を多くすれば、エンジン１の出力を高めることができる。
【０００５】
また、前記排気２の一部がＥＧＲ配管１０へ流入し、ＥＧＲバルブ１１で流量調整が行われた排気２が、吸気５と一緒にエンジン１へ送給され、これによりシリンダ内の燃焼温度の低下が図られ、ＮＯxの発生が低減される。
【０００６】
尚、前述の如き二段過給システムと関連する一般的技術水準を示すものとしては、例えば、下記の特許文献１、２等が既に存在している。
【先行技術文献】
【特許文献】
【０００７】
【特許文献１】特開２００５−１４７０３０号公報
【特許文献２】特開平５−１８００８９号公報
【発明の概要】
【発明が解決しようとする課題】
【０００８】
しかしながら、この種の二段過給システムにおいては、低速中負荷域での燃費向上、トルクアップや高ＥＧＲ率の実現のために、比較的小径の高圧段ターボチャージャ６を採用することが検討されているが、このような比較的小径の高圧段ターボチャージャ６では、車両の加減速時にタービン慣性により高圧段タービン３が過回転を起こし易いという不具合があり、より具体的には、加速時に高圧段タービン３がオーバーシュート（ターボ過給圧が設定よりも高まってしまうこと：エンジンやタービンに負担がかかり過ぎて故障の原因になる）を起こしたり、減速時にタービン慣性により高圧段タービン３が回り続けて過給圧が下がるのが遅れ、これにより定常になっても排気タービン圧が高いままとなって排気の再循環量が過剰となり、エンジン１の各シリンダにおける燃焼性が悪化して排気２中に煙が発生する虞れがあった。
【０００９】
本発明は、斯かる実情に鑑みてなしたもので、加減速時に高圧段タービンが過回転を起こすことを防止し得る二段過給システムにおける高圧段タービンの過回転防止方法を提供することを目的としている。
【課題を解決するための手段】
【００１０】
本発明は、車両搭載のエンジンから送出される排気によって高圧段タービンを作動させ且つ高圧段コンプレッサで圧縮した吸気をエンジンへ送給する高圧段ターボチャージャと、該高圧段ターボチャージャの高圧段タービンから送出される排気によって低圧段タービンを作動させ且つ低圧段コンプレッサで圧縮した吸気を前記高圧段コンプレッサへ送給する低圧段ターボチャージャとを備えた二段過給システムにおける高圧段タービンの過回転防止方法であって、エンジンからの排気を高圧段タービンを迂回させて低圧段タービンに導くバイパス流路と、該バイパス流路の途中に装備されて流路を開閉するバイパスバルブとを備え、高圧段タービンのタービン回転数を回転センサにより常時監視し、車両の加速又は減速が確認された時に、高圧段タービンの現在のタービン回転数と前回エンジンサイクルでのタービン回転数とに基づき次回エンジンサイクルでのタービン回転数を推定し、その推定値が加速時と減速時の夫々について個別に規定されている規定値を下まわっていなかった時にバイパスバルブを開けてバイパス流路を開通することを特徴とするものである。
【００１１】
而して、このようにすれば、車両の加速時に高圧段タービンの回転数が急上昇しても、そのタービン回転数が回転センサにより常時監視されて、次回エンジンサイクルでのタービン回転数が推定されるようになっているので、高圧段タービンがオーバーシュートを起こさない範囲で加速時の規定値を適切に設定しておけば、次回エンジンサイクルでのタービン回転数の推定値が規定値以上となった時にバイパスバルブが開いてバイパス流路が開通され、エンジンからの排気が高圧段タービンを迂回して流れることでタービン回転数が下がり、高圧段タービンのオーバーシュートが防止されることになる。
【００１２】
一方、車両の減速時にタービン慣性により高圧段タービンが回り続けても、そのタービン回転数が回転センサにより常時監視されて、次回エンジンサイクルでのタービン回転数が推定されるようになっているので、減速後の定常時にも排気の再循環量が過剰とならない範囲で加速時の規定値を適切に設定しておけば、次回エンジンサイクルでのタービン回転数の推定値が規定値を下まわっていなかった時にバイパスバルブが開いてバイパス流路が開通され、エンジンからの排気が高圧段タービンを迂回して流れることでタービン回転数が惰性回転を続けずに早期に下がり、減速後の定常時に排気の再循環量が過剰となってエンジンでの燃焼性が悪化することで起こる煙の発生が防止されることになる。
【００１３】
また、本発明においては、次回エンジンサイクルでのタービン回転数を推定するにあたり、現在のタービン回転数に対し、前回エンジンサイクルから現在までのタービン回転数の時間変化量を、次回エンジンサイクルまでの回転数増減分として合算すると共に、バイパスバルブの応答遅れに相当するタービン回転数の時間変化量を更に合算して推定値を算出すると良い。
【発明の効果】
【００１４】
本発明の二段過給システムにおける高圧段タービンの過回転防止方法によれば、低速中負荷域での燃費向上、トルクアップや高ＥＧＲ率の実現のために、高圧段ターボチャージャの小径化を図っても、高圧段タービンが加減速時に過回転を起こすことを確実に防止することができるので、加速時における高圧段タービンのオーバーシュートや、減速後の定常復帰で排気の再循環量が過剰となることに伴う煙の発生を確実に防止することができるという優れた効果を奏し得る。
【図面の簡単な説明】
【００１５】
【図１】本発明を実施する形態の一例を示す概略図である。
【図２】図１の制御装置における制御手順を示すフローチャートである。
【図３】従来の二段過給システムの一例を示す概略図である。
【発明を実施するための形態】
【００１６】
以下、本発明の実施の形態を添付図面を参照して説明する。
【００１７】
図１及び図２は本発明を実施する形態の一例を示すもので、図３と同一の符号を付した部分は同一物を表わしている。
【００１８】
図１に示す如く、本形態例においては、先に図３で説明した従来の二段過給システムと基本的な構成が同じ二段過給システムを対象としているが、ここに図示している例では、エンジン１からの排気２を高圧段タービン３を迂回させて低圧段タービン７に導くバイパス流路１２が設けられ、該バイパス流路１２の途中に流路を開閉するバイパスバルブ１３が設けられている。
【００１９】
また、高圧段ターボチャージャ６の高圧段タービン３に回転センサ１４が取り付けられ、該回転センサ１４により前記高圧段タービン３のタービン回転数が検出されて、その検出信号１４ａがエンジン制御コンピュータ（ＥＣＵ：Electronic Control Unit）を成す制御装置１５に入力されるようになっている。
【００２０】
ここで、前記制御装置１５にあっては、前記回転センサ１４からの検出信号１４ａに基づき高圧段タービン３のタービン回転数を回転センサ１４により常時監視し、車両の加速又は減速が確認された時に、高圧段タービン３の現在のタービン回転数と前回エンジンサイクルでのタービン回転数とに基づき次回エンジンサイクルでのタービン回転数を推定し、その推定値が加速時と減速時の夫々について個別に規定されている規定値を下まわっていなかった時にバイパスバルブ１３を開操作する制御信号１５ａを出力してバイパス流路１２を開通するようになっている。
【００２１】
即ち、前記制御装置１５においては、図２にフローチャートで示す如き制御手順でバイパスバルブ１３の制御が実施されるようになっており、先ずステップＳ１で車両の加速又は減速が判定されるようになっている。
【００２２】
ここで、前記制御装置１５は、エンジン制御コンピュータ（ＥＣＵ：Electronic Control Unit）も兼ねているので、アクセル開度や燃料噴射量といった情報を把握しており、これらアクセル開度や燃料噴射量の単位時間当たりの変化率から車両の加減速の判定を行うことが可能である。
【００２３】
そして、ステップＳ１で加速又は減速の判定が成された場合には、次のステップＳ２へと進んで、現在のタービン回転数と前回エンジンサイクルでのタービン回転数とに基づき次回エンジンサイクルでのタービン回転数が推定され、この推定値が加速時と減速時の夫々について個別に規定されている規定値を下まわっているか否かが判定されるようになっている。
【００２４】
ここで、次回エンジンサイクルでのタービン回転数を推定するにあたっては、現在のタービン回転数に対し、前回エンジンサイクルから現在までのタービン回転数の時間変化量を、次回エンジンサイクルまでの回転数増減分として合算すれば良く、例えば、ステップＳ１で加速の判定が出ていたならば、前回エンジンサイクルから現在までのタービン回転数の時間変化量を、次回エンジンサイクルまでの回転数増加分として加算すれば良く、ステップＳ１で減速の判定が出ていたならば、前回エンジンサイクルから現在までのタービン回転数の時間変化量を、次回エンジンサイクルまでの回転数減少分として減算すれば良い。
【００２５】
また、バイパスバルブ１３の応答遅れに相当するタービン回転数の時間変化量を更に合算して推定値を算出することが好ましく、このようにすれば、より精度の高い推定値を算出することが可能となる。尚、この時間変化量については、例えば、エンジン回転数と負荷の二次元制御マップからバイパスバルブ１３の応答遅れに相当するタービン回転数の時間変化量を読み出すことが可能である。
【００２６】
この際、バイパスバルブ１３の応答遅れに相当するタービン回転数の時間変化量を読み出すための二次元制御マップは、加速用と減速用の二種類を制御装置１５に備えておき、加速時にはプラスの値で、減速時にはマイナスの値で読み出されるようにしておけば良い。
【００２７】
更に、加速時用として規定される規定値は、高圧段タービン３がオーバーシュートを起こさない範囲のタービン回転数に規定されたものであり、減速時用として規定される規定値は、減速後の定常時にも排気の再循環量が過剰とならない範囲のタービン回転数に規定されたものである。
【００２８】
そして、先のステップＳ２で推定値が規定値を下まわっていないと判定された場合には、ステップＳ３へ進んでバイパスバルブ１３を開操作する制御信号１５ａが出力され、推定値が規定値を下まわっていると判定された場合には、ステップＳ４へ進んで既に車両が加速又は減速の状態にないか否かが判定され、車両の加速又は減速が継続していれば、ステップＳ２に戻って同じ制御が繰り返され、既に車両の加速又は減速が終わっていれば、加減速時の制御は終了することになる。
【００２９】
前述の如き図２の制御手順でバイパスバルブ１３の制御を実施すれば、車両の加速時に高圧段タービン３の回転数が急上昇しても、そのタービン回転数が回転センサ１４により常時監視され、次回エンジンサイクルでのタービン回転数の推定値が規定値以上となった時にバイパスバルブ１３が開いてバイパス流路１２が開通され、エンジン１からの排気が高圧段タービン３を迂回して流れることでタービン回転数が下がり、高圧段タービン３のオーバーシュートが防止されることになる。
【００３０】
一方、車両の減速時にタービン慣性により高圧段タービン３が回り続けても、そのタービン回転数が回転センサ１４により常時監視され、次回エンジンサイクルでのタービン回転数の推定値が規定値を下まわっていなかった時にバイパスバルブ１３が開いてバイパス流路１２が開通され、エンジン１からの排気が高圧段タービン３を迂回して流れることでタービン回転数が惰性回転を続けずに早期に下がり、減速後の定常時に排気の再循環量が過剰となってエンジン１での燃焼性が悪化することで起こる煙の発生が防止されることになる。
【００３１】
従って、上記形態例によれば、低速中負荷域での燃費向上、トルクアップや高ＥＧＲ率の実現のために、高圧段ターボチャージャ６の小径化を図っても、高圧段タービン３が加減速時に過回転を起こすことを確実に防止することができるので、加速時における高圧段タービン３のオーバーシュートや、減速後の定常復帰で排気の再循環量が過剰となることに伴う煙の発生を確実に防止することができる。
【００３２】
尚、本発明の二段過給システムにおける高圧段タービンの過回転防止方法は、上述の形態例にのみ限定されるものではなく、次回エンジンサイクルでのタービン回転数の推定値の算出については、先に形態例で説明した以外の手法を用いることも可能であること、その他、本発明の要旨を逸脱しない範囲内において種々変更を加え得ることは勿論である。
【符号の説明】
【００３３】
１  エンジン
２  排気
３  高圧段タービン
４  高圧段コンプレッサ
５  吸気
６  高圧段ターボチャージャ
７  低圧段タービン
８  低圧段コンプレッサ
９  低圧段ターボチャージャ
１０  ＥＧＲ配管
１１  ＥＧＲバルブ
１２  バイパス流路
１３  バイパスバルブ
１４  回転センサ
１４ａ  検出信号
１５  制御装置
１５ａ  制御信号
【図１】
2011052584.tif 000003
【図２】
2011052584.tif 000004
【図３】
2011052584.tif 000005